(57)【要約】【課題】従来の可動式前照灯においては、操舵装置に連動させ投光ユニットを機械的に旋回させるものが多く、長時間の使用に対して誤差の積上げが行われる懸念がある。また、ホール素子などで初期位置を設定するものもあるが精度が不足気味である。【解決手段】本発明により、主鏡回動軸を中心として主鏡を回動させ照射方向を変化させて成る可動式前照灯において、光源からの光を、主鏡回動軸の回動中心に設けられた中空部に反射光を同一軸として導入する補助鏡が設けられると共に、中空部の少なくとも径の半部には、略４５°斜面とした円錐鏡部が設けられ補助鏡からの反射光を略直角方向に屈折させ、前記円錐部にほぼ対峙する主鏡回動軸の中空部には円錐部で反射した光を主鏡回動軸の外部に取出し可能とする開口部と、開口部を透過した光を受光する受光センサとが設けられ、この受光センサからの出力で前照灯の動作角が計測、設定される可動式前照灯として課題を解決する。【選択図】図１
2008207654.tif 000002
【特許請求の範囲】
【請求項１】
主鏡回動軸を中心として主鏡を回動させ照射方向を変化させて成る可動式前照灯において、前記前照灯には光源からの光の一部が入射し中空部に向かって反射する補助鏡が、前記主鏡の開口部内の位置に設けられ、前記中空部は前記前照灯の主鏡回動軸若しくはその近傍に設けられると共に、その中空部内には円錐鏡部が配設され、前記円錐部にほぼ対峙する前記中空部には、前記前記補助反射鏡にて反射された光が前記円錐鏡部に入射して前記中空部外に取り出す開口部が設けられ、前記開口部を通って前記円錐鏡部にて反射した光を受光する位置には、受光センサが設けられ、前記受光センサからの出力で、前記可動式前照灯の動作角が計測若しくは設定されることを特徴とする可動式前照灯。
【請求項２】
前記開口部は、前記前記主鏡回動軸の回動量に伴い透過する光量が変化する形状とされていて、前記開口部を透過した前記受光センサの出力から前記主鏡の回動量を監視していることを特徴とする請求項１記載の可動式前照灯。
【請求項３】
前記主鏡回動軸には、前記主鏡に加えられた駆動量を出力する第一の看視部が設けられるとと共に、前記主鏡に加えられた駆動量により実際に駆動が行われ回動量を監視する第二の監視部とが設けられ、両監視部の差分から故障の検出が行われることを特徴とする請求項１、または、請求項２記載の可動式前照灯。
【発明の詳細な説明】
【技術分野】
【０００１】
本発明は、ＡＦＳ(Adaptive Front-lighting System)と称されて、夜間の点灯時には、例えば曲路などにおいては操舵装置（ハンドル）の操作に連動して前照灯の照射方向を車両の進行方向に向けておき、予めに運転者の視界の確保を図れるものとするなど、より一層に運転の安全化、安易化を図るものであり、今年、実用化の気運が高まっているものである。
【背景技術】
【０００２】
従来の、この種の可動式前照灯９０の構成の例を示すものが図５、および、図６であり、まず、ケース９１には、両端からに１対のセンサ付軸受け９２ａ、９２ｂが取付けられており、この１対のセンサ付軸受け９２ａ、９２ｂにより上下可動部材９３が、前記センサ付軸受け９２ａ、９２ｂが前記ケース９１に対して回動自在に取付けられている。
【０００３】
尚、ここでは、例えば自動車に取付けたときの、前記ケース９１に対する前記上下可動部材９３の前記センサ付軸受け９２ａ、９２ｂによる回動方向を上下方向と称するものとするが、これは、左右方向としても良い。
【０００４】
そして、図６に、図５のＤ−Ｄ線に沿う断面図として示すように、前記ケース９１には左右可動部材９４が１個のセンサ付軸受け９２ｃにより取付けられてており、前記左右可動部材９４には図６にも示すように、例えば、回転放物面とした反射鏡９５と、前記反射鏡内に光源９６とが取付けられている。
【０００５】
このようにすることで、前記センサ付軸受け９２ａ、９２ｂにより前記上下可動部材９３を前記ケース９１に対して回動させることで、反射鏡９５と光源９６とは、上下方向への任意の方向を照射させることが可能となり、また、センサ付軸受け９２ｃにより左右可動部材９４を任意の方向に向かせることで、左右方向への任意の方向を照射させることが可能となる。
【０００６】
よって、例えば、前記センサ付軸受け９２ｃ（または、左右可動部材９４）を自動車の操舵装置、或いは、懸架装置に連動させておけば、運転者のハンドル操作に伴い、反射鏡９５、光源９６が、自動車を旋回させようとする方向に向かい照射すると共に、前記センサ付軸受け９２ａ、９２ｂにより旋回時の路面に対する車体の姿勢変化などにも対応できるものとなり、即ち、可動式前照灯９０が得られるものとなる。
【特許文献１】特開２００５−１２５８５１号公報
【発明の開示】
【発明が解決しようとする課題】
【０００７】
しかしながら、上記した従来の可動式前照灯９０の構成では、ＡＦＳ動作を行わせるときには、左右可動部材９４、または、上下可動部材９３を駆動することで行うものであり、この駆動は、前記センサ付軸受け９２ａ、９２ｂの駆動量により決定され、正確な位置に達したか否かを知るフィードバック手段などをもたない。
【０００８】
よって、所望の照射位置に正確に停止させる高い組立精度と、自動車が受ける走行時の振動、衝撃など、通常の使用状態では狂うことのない堅固な構成とが要求されるものとなり、構成の簡単な割には組立に手間の係るものとなり、結果的には製品のコストが向上するという問題点を生じている。また、フィードバック手段を備えたものでも磁石とホール素子の組合せなどであったので精度的に不足気味であった。
【課題を解決するための手段】
【０００９】
本発明は、上記した従来の課題を解決するための具体的手段として、主鏡回動軸を中心として主鏡を回動させ照射方向を変化させて成る可動式前照灯において、前記前照灯には光源からの光の一部が入射し中空部に向かって反射する補助鏡が、前記主鏡の開口部内の位置に設けられ、前記中空部は前記前照灯の主鏡回動軸若しくはその近傍に設けられると共に、その中空部内には円錐鏡部が配設され、前記円錐部にほぼ対峙する前記中空部には、前記前記補助反射鏡にて反射された光が前記円錐鏡部に入射して前記中空部外に取り出す開口部が設けられ、前記開口部を通って前記円錐鏡部にて反射した光を受光する位置には、受光センサが設けられ、前記受光センサからの出力で、前記可動式前照灯の動作角が計測若しくは設定されることを特徴とする可動式前照灯を提供することで課題を解決するものである。
【発明の効果】
【００１０】
本発明により、光源からの光の一部を利用して前記前照灯の現状の照射方向を検出できる構成としたことで、例えば、操舵装置など、前照灯の方向を制御する部品に不具合を生じたときには検出可能とし、不具合の発生の発見を可能とすると共に、例えば、左旋回時と右旋回時との前記前照灯の照射角を調整し、対向車への眩惑の発生を一層低減させるなどの機能を組み込みも可能とするなど、精度向上と機能向上とに効果を奏することが可能となる。
【発明を実施するための最良の形態】
【００１１】
つぎに、本発明を図に示す実施形態に基づいて詳細に説明する。
【実施例１】
【００１２】
図１に符号１で示すものは、本発明に係る可動式前照灯であり、この可動式前照灯１は、第一焦点ｆに光源２が配置された、回転楕円面の反射鏡３と、前記反射鏡３の長軸Ｘと同芯として反射鏡３の前方に取付けられたレンズホルダー４と、前記レンズホルダー４の先端に取付けられた投影レンズ５と、前記反射鏡３の前記長軸Ｘよりも下半部で反射した光を遮蔽する遮蔽板６とから構成される投光ユニット１０が設けられているものである点は、従来例のプロジェクタ型車両用灯具と同様な構成とされている。
【００１３】
ここで、本発明においては、前記レンズホルダー４の上下面に前記長軸Ｘと直交する一対の主鏡回動軸７が設けられていて、前記投光ユニット１０は、前記鏡回動軸７を回動の中心とし、長軸Ｘを水平として回動させるものとされている。このときに、この第一実施例においては、下方に設けられた下部主鏡回動軸７ａの中心には中空部７ｂが、前記長軸Ｘと直交する方向として設けられている。
【００１４】
加えて、前記遮蔽板６には、前記光源２からの光の内の、前記反射鏡３の下半部に反射し、結果的には前記遮蔽板６により遮蔽が行われてしまう光が到達する位置に、補助鏡６ａが設けられていて、反射鏡３の下半部で反射した光源２からの光の一部分を、前記下部主鏡回動軸７ａに設けられた中空部７ｂに略平行な状態として、該中空部７ｂ内に導入する。
【００１５】
また、前記主鏡回転軸７はボス状部７ｃなどにより可動式前照灯１のケース８などに固定された取付部８ａに回動自在に嵌め込まれ、同様に前記主鏡回転軸７ｂも上記と同様に形成された取付部８ｂに回動自在に嵌め込まれている。そして、前記取付部８ｂには、モーター９ａ、歯車９ｂなどによる駆動装置９が設けられている。
【００１６】
よって、外部から適宜な駆動信号、例えば図１中に例として示したように、“ランプ点灯信号”、“車両速度信号”、“舵角信号”などを処理する駆動回路９ｃを介しモーター９ａに加えることで、歯車９ｂ、９ｃを介して前記投光ユニット１０は前記ケース８内で照射方向を左右の適正な方向に変えることが可能なものとなっている。
【００１７】
このときに、前記中空部７ｂ内には、前記駆動装置９の駆動が行われない状態で略４５°の半円錐状とする円錐鏡部７ｄが前記中空部７ｃの径の略半部に設けられ、更に、前記円錐鏡部７ｄと対峙する部分には、適宜な形状とした開口部７ｅが設けられているので、前記円錐鏡部７ｄで略直角方向に進行方向を変えた光源２からの光は、前記開口部７ｅから取り出され、更に先方に設けられた受光センサ１１に達して、出力を生じるものとなる。
【００１８】
図２（Ａ）、図２（Ｂ）は上記した、前記主鏡回動軸７ａの部分の構成を詳細に説明するものであり、前記主鏡回動軸７ａには、中心に中空部７ｂが設けられ、上記にも説明したように、遮蔽板６に設けられた副反射鏡６ａからの光が前記中空部７ｂ、即ち、前記主鏡回動軸７ａｂの回転の中心軸に略沿い透過するものとされている。
【００１９】
このとき、前記中空部７ｂ内には円錐鏡部７ｄが設けられているので、前記副反射鏡６ａから中空部７ｂ内に導入された光は、前記円錐鏡部７ｄにより略直角に反射が行われる。
【００２０】
ここで、前記円錐鏡部７ｄと対峙する位置の主鏡回動軸７ａには、適宜な形状とした開口部７ｅが設けられ、更に、前記主鏡回動軸７ａの外周には、受光センサ１１が設けられているので、この受光センサ１１に光が到達し、その受光センサ１１の出力から前記投光ユニット１０の向かっている方向を検出するのである。
【００２１】
尚、前記図２（Ａ）、図２（Ｂ）に示すように前記開口部７ｅの形状を前記主鏡回動軸７ａの回転方向に幅広の菱形状などとして、受光センサ１１の出力が前記開口部７ｅの位置により変化するものとし、例えば、受光センサ１１に最大出力が得られているるときに前記投光ユニット１０が正面を向いているものと判定するものとしても良い。尚、図中に符号１２で示すものは絞り板であり、この絞り板１２に設ける開口１２ａの形状、例えば幅を調整することで、精度の調整も可能となる。
【００２２】
或いは、図３（Ａ）、に示したように、前記開口部７ｅを例えば受光センサ１１とほぼ同径の円形孔として、僅かのズレを生じたときにも前記受光センサ１１とズレを生じて出力が変化するようにし、前記投光ユニット１０が正面を向いているものと判定するものとしても良い。尚、このときには絞り板１２は省略することも可能である。
【００２３】
或いは、図３（Ａ）、図３（Ｂ）に示すように、前記開口部７ｅを小径の円形に形成すると共に、前記開口部７ｅと受光センサ１１との間に固定型として、前記開口部７ｅとほぼ同径の開口１２ａが設けられた絞り板１２を取付けておけば、前記投光ユニットの基準位置の設定を一層厳密に設定できるものとなる。
【００２４】
また、前記した操舵が行われた状態で、前記受光センサ１１からの信号が変化しない場合、または、操舵装置の操作が行われていないにも係わらず前記受光センサ１１からの信号が得られない場合などには、駆動装置９、或いは、それより前段の機構に不具合を生じていることが判断できるものとなる。
【実施例２】
【００２５】
図４に示すものは、本発明の第二実施形態であり前の第一実施形態では、光源２からの光がレンズホルダー４内の遮蔽板６により遮蔽される位置に副反射鏡６ａを設けて、前記投光ユニット１０の移動量を検知する光を採集していたが、この第二実施形態では、前記レンズホルダー４内に補助鏡６ｂを新たに作成するのであれば、それを更に積極的に利用して前記投光ユニット１０自体の光束利用率を増し、より明るい可動式前照灯を得ようと図るものである。
【００２６】
この場合、この第二実施形態では、光源２からの直射光のうち、前記反射鏡３に直接反射することのない光源２からの光を利用して、一部を前記下部主鏡回転軸７ａに入射させる形状とし、他の部分が、例えば、光源２を第一焦点とする回転楕円面とされた副反射鏡６ｂとして形成し、そして、レンズホルダー４の上部に取付ける。尚、このときには投光ユニット１０としての配光特性に影響を与えることのない位置を選定して取付ける。
【００２７】
このときには、前記副反射鏡６ｂの上記した副反射鏡６ｂの回転楕円面とされた部分の第二焦点は、前記レンズホルダー４の前方寄りで、かつ、下方近傍に存在するようにされており、この第二焦点に対応する位置に焦点を有する回転放物面とした、第二副反射面６ｃが取付けられる。
【００２８】
尚、その他の部分は、上記に説明した第一実施例とほぼ同様であるので、重複する部分の説明は省略する。尚、本発明のように光源２からの光が受光センサ１１に達するようにし、そのときの受光センサ１１の出力で投光ユニット１０の初期位置を設定、確認する構成としたことで、上記で説明したように精度の向上も図れるものとなると共に、万一の光源の断線時には機能しないものとなるので、故障の予知に有効となる。
【図面の簡単な説明】
【００２９】
【図１】本発明に係る可動式前照灯の第一実施例を示す断面図である。
【図２】本発明に係る位置検出の要部を示す説明図である。
【図３】別の位置検出の要部を示す説明図である。
【図４】同じく本発明に係る可動式前照灯の第二実施例を示す断面図である。
【図５】従来例を示す側面図である。
【図６】図５のＤ−Ｄ線に沿う断面図である。
【符号の説明】
【００３０】
１…可動式前照灯
２…光源
３…反射鏡
４…レンズホルダー
５…投影レンズ
６…遮蔽板
６ａ、６ｂ…補助鏡
６ｃ…第二副反射面
７…主鏡回転軸
７ａ…下部主鏡回転軸
７ｂ…中空部
７ｃ…ボス部
７ｄ…円錐鏡部
７ｅ…開口部
８…ケース
８ａ…取付部
９…駆動装置
９ａ、９ｂ…歯車
１０…投光ユニット
１１…受光センサ
【図１】
2008207654.tif 000003
【図２】
2008207654.tif 000004
【図３】
2008207654.tif 000005
【図４】
2008207654.tif 000006
【図５】
2008207654.tif 000007
【図６】
2008207654.tif 000008